(57)【要約】【課題】ボール捕集ネットにボールが嵌め込まれることを防止する卓球練習機のボール捕集ネット用緩衝部材を提供する。【解決手段】卓球練習機１０を覆って卓球台５０の一側にセットされる枠体１１を備えたボール捕集ネット１２であって、前記卓球練習機１０から発射される飛球開口部１０ａを除く前記ボール捕集ネット１２の前面開口部１２ａには、柔軟性材質で形成された所定幅に形成したボール捕集ネット用緩衝部材となる緩衝プレート２０を配設した構成とした。【選択図】　　　　図１
0003097824.tif 000002
【実用新案登録請求の範囲】
【請求項１】
卓球練習機１０を覆って卓球台の一側にセットされる枠体１１を備えたボール捕集ネット１２であって、前記卓球練習機１０の飛球開口部１０ａを除く前記ボール捕集ネット１２の前面開口部１２ａには、柔軟性材質で形成された緩衝プレート２０を配設したことを特徴とする卓球練習機のボール捕集ネットの改良。
【請求項２】
前記緩衝プレート２０の下端部には、筒状の設置部２１が配設され、該設置部２１の筒状内部には所定の重量を有する固定ロッド３０が抜き差し自在に嵌合され、各緩衝プレート２０を伸長するようにしたことを特徴とする請求項１に記載の卓球練習機のボール捕集ネットの改良。
【請求項３】
前記緩衝プレート２０は所定幅に形成された複数枚を並設してなり、かつ前記所定幅はボール３１の直径とほぼ等しい幅であることを特徴とする請求項１又は請求項２に記載の卓球練習機のボール捕集ネットの改良。
【考案の詳細な説明】
【０００１】
【考案の属する技術分野】
本考案は、卓球練習機を覆って卓球台の一側にセットされるボール捕集ネットの改良に関し、特に、練習中のボールが捕集ネットに直接あたってネットを破損したり、ボールがネットに嵌まり込むのを防止するようにした、卓球練習機のボール捕集ネットの改良に関するものである。
【０００２】
【従来の技術】
従来の卓球練習機は、例えば台湾実用新案登録第８８２０３４１６号「卓球卓に設置する卓球練習機」に開示されるものであり、図４に示すように、このような卓球練習機４０を使用する際、該卓球練習機４０を卓球台５０の一側（エッジ）取付けて組立てると共に、卓球練習機４０を覆って後側にボール捕集ネット４１が設置されることにより、練習者が打ち返したボールがボール捕集ネット４１によって捕集され、卓球集中皿４２に集中すると共に、卓球練習機４０に移動することができる。
【０００３】
【考案が解決しようとする課題】
しかしながら、従来の卓球練習機４０におけるボール捕集ネット４１を実際に使用する場合においては、練習者によって打ち返されたボールは一定の衝撃力を有するために、このボールが前記ボール捕集ネット４１と接触する際、捕集ネット４１を破損したり、ボール捕集ネット４１の網目に嵌め込まれてボールを卓球練習機４０における卓球集中皿４２に戻すことができず、これにより、卓球練習機４０の内部におけるボールの数量が減少すると共に、卓球練習機４０の作動に悪影響を与えてしまう。
【０００４】
更に、練習者のボールを打つ力が大きければ、ボール捕集ネット４１によってボールが卓球台５０に弾み返されることにより、ボールを卓球集中皿４２に戻すことができないので、卓球練習機４０の作動に悪影響を与えてしまう。
【０００５】
そこで、案出されたのが本考案であって、卓球練習機のボール捕集ネットにボールが嵌め込まれてしまうことを防止する卓球練習機のボール捕集ネットを提供することを目的としている。
【０００６】
【課題を解決するための手段】
本願の請求項１に記載した卓球練習機のボール捕集ネットの改良に係る考案は、卓球練習機１０を覆って卓球台５０の一側にセットされる枠体１１を備えたボール捕集ネット１２であって、前記卓球練習機１０の飛球開口部１０ａを除く前記ボール捕集ネット１２の前面開口部１２ａには、柔軟性材質で形成された緩衝プレート２０を配設したことを特徴とする。
請求項２の考案は、請求項１に記載した卓球練習機のボール捕集ネットの改良において、前記緩衝プレート２０の下端部には、筒状の設置部２１が配設され、該設置部２１の筒状内部には所定の重量を有する固定ロッド３０が抜き差し自在に嵌合され、各緩衝プレート２０が伸長されるようにしたことを特徴とする。
請求項３の考案は、請求項１または２に記載の卓球練習機のボール捕集ネットの改良において、前記緩衝プレート２０は所定幅に形成された複数枚を並設してなり、かつ前記所定幅は卓球ボール３１の直径とほぼ等しい幅であることを特徴とする。
【０００７】
【作用】
本考案は上述した課題を解決するものであり、卓球練習機１０を覆って卓球台５０の一側にセットされる枠体１１を備えたボール捕集ネット１２の前面部開口部１２ａに、柔軟性材質で形成された緩衝プレート２０を設け、打ち返された衝撃力の強いボールが、直接、ボール捕集ネット１２に当たらないようにし、ボールの衝撃力によるネットの破損等の防止並びにボールの集中皿１３への戻りを確実にする。
【０００８】
以下、添付図面を参照して本考案の好適な実施の形態を詳細に説明する。なお、下記実施例は、本考案の好適な実施の形態を示したものにすぎず、本考案の技術的範囲は、下記実施例そのものに何ら限定されるものではない。
【０００９】
【考案の実施の形態】
図１は本考案に係わる卓球練習機のボール捕集ネットの改良の使用状態を示す拡大分解斜視図であり、図２は本考案に係わる卓球練習機のボール捕集ネットの改良の使用状態を示す平面図であり、図３は本考案に係わる卓球練習機のボール捕集ネットの改良の使用状態を示す斜視図である。
【００１０】
図１及び図２に示すように、本考案に係わる卓球練習機のボール捕集ネットの改良では、卓球練習機１０の両側にボール捕集ネット１２を設置するためフレーム１１の前面部に、所定幅の長方形状に形成した複数の柔軟性材質、例えば、軟質樹脂，ゴム，布等の緩衝プレート２０が設けられており、各緩衝プレート２０の幅はボール３１の直径とほぼ等しく、緩衝プレート２０の下端には、筒状の設置部２１が設けられている。そして、前記設置部２１の筒状内部には所定の重量を有する固定ロッド３０が抜き差し自在に嵌合装着されることにより、各緩衝プレート２０が伸長するようになる。
【００１１】
又、図２及び図３に示すように、本考案に係わる卓球練習機のボール捕集ネットの改良では、緩衝プレート２０が、卓球練習機１０の両側にボール捕集ネット１２を設置するためのフレーム１１を覆ったボール捕集ネット１２の前面開口部１２ａに設置されるので、卓球練習機１０から発射され、飛球開口部１０ａを介して飛球して来て、練習者によって打ち返された卓球（練習ボール）３１は、ボール捕集ネット１２に接触するより前に先に緩衝プレート２０と接触することにより、その衝撃量が減少され、更に、緩衝プレート２０同士間の隙間を介してボール捕集ネット１２へ移動してから重力によって卓球練習機１０の卓球集中皿１３に落ちてゆくことにより、ボール捕集ネット１２に嵌まり込んでしまうという不具合が解消できる。
【００１２】
更に、緩衝プレート２０は、フレーム１１に設置されたボール捕集ネット１２の前面部両側に、卓球練習機１０のボール飛球開口部１０ａを除いて取付けられるので、卓球練習機１０の使用中に邪魔になることがなく、又、本考案に係わる卓球練習機のボール捕集ネット１２の設置は簡単であり、現有の卓球練習機１０のボール捕集ネット１２を設置するための枠体１１の前面部に直接に設置することができるので、実用性が十分にある。なお、緩衝プレート２０の材質は、布や、プラスチックプレート、又は他の軟質の材質から成ることができる。
【００１３】
【考案の効果】
本考案は、卓球練習機を覆って卓球台の一側にセットされる枠体を備えたボール捕集ネットであって、前記卓球練習機の飛球開口部を除く前記ボール捕集ネットの前面開口部には、柔軟性材質で形成された緩衝プレートを配設した構成としたので、卓球練習中のボールがボール捕集ネットに接触する前に、緩衝プレートと接触することによってボールの衝撃力を減少させる事ができ、ボールがボール捕集ネットに嵌め込まれたり、ボールの衝撃力でネットが破損することを防止できる。また、柔軟性材質で形成された緩衝プレートに当接したボールは余り飛散することなくボール集中皿に戻るため、卓球練習機へのボールの戻りが確実に確保される。
【図面の簡単な説明】
【図１】本考案に係わる卓球練習機のボール捕集ネットの改良の使用状態を示す拡大分解斜視図である。
【図２】本考案に係わる卓球練習機のボール捕集ネットの改良の使用状態を示す平面図である。
【図３】本考案に係わる卓球練習機のボール捕集ネットの改良の使用状態を示す斜視図である。
【図４】従来の卓球練習機の使用状態を示す斜視図である。
【符号の説明】
１０　　　　卓球練習機
１１　　　　枠体
１２　　　　ボール捕集ネット
１３　　　　卓球集中皿
２０　　　　緩衝プレート
２１　　　　設置部
３０　　　　固定ロッド
３１　　　　ボール
４０　　　　卓球練習機
４１　　　　ボール捕集ネット
４２　　　　卓球集中皿
５０　　　　卓球台
【図１】
0003097824.tif 000003
【図２】
0003097824.tif 000004
【図３】
0003097824.tif 000005
【図４】
0003097824.tif 000006
【手続補正書】
【提出日】平成15年6月20日(2003.6.20)
【手続補正１】
【補正対象書類名】明細書
【補正対象項目名】全文
【補正方法】変更
【補正の内容】
【考案の詳細な説明】
【実用新案登録請求の範囲】
【請求項１】卓球練習機１０を覆って卓球台の一側にセットされる枠体１１を備えたボール捕集ネット１２であって、前記卓球練習機１０から発射される飛球開口部１０ａを除く前記ボール捕集ネット１２の前面開口部１２ａには、柔軟性材質で形成された緩衝プレート２０を配設したことを特徴とする卓球練習機のボール捕集ネット用緩衝部材。
【請求項２】前記緩衝プレート２０の下端部には、筒状の設置部２１が配設され、該設置部２１の筒状内部には所定の重量を有する固定ロッド３０が抜き差し自在に嵌合され、各緩衝プレート２０を伸長するようにしたことを特徴とする請求項１に記載の卓球練習機のボール捕集ネット用緩衝部材。
【請求項３】前記緩衝プレート２０は所定幅に形成された複数枚を並設してなり、かつ前記所定幅はボール３１の直径とほぼ等しい幅であることを特徴とする請求項１又は請求項２に記載の卓球練習機のボール捕集ネット用緩衝部材。
【考案の詳細な説明】
【０００１】
【考案の属する技術分野】
本考案は、卓球練習機を覆って卓球台の一側にセットされるボール捕集ネットの改良に関し、特に練習中のボールが捕集ネットに直接あたって、ネットを破損したり、ボールがネットに嵌まり込むのを防止するようにした卓球練習機のボール捕集ネット用緩衝部材に関するものである。
【０００２】
【従来の技術】
従来の卓球練習機は、例えば台湾実用新案登録第８８２０３４１６号「卓球卓に設置する卓球練習機」に開示されるものであり、図４に示すように、このような卓球練習機４０を使用する際、該卓球練習機４０を卓球台５０の一側（エッジ）取付けて組立てると共に、卓球練習機４０を覆って後側にボール捕集ネット４１が設置されることにより、練習者が打ち返したボールがボール捕集ネット４１によって捕集され、卓球集中皿４２に集中すると共に、卓球練習機４０に移動することができる。
【０００３】
【考案が解決しようとする課題】
しかしながら、従来の卓球練習機４０におけるボール捕集ネット４１を実際に使用する場合において、練習者によって打ち返えされたボールは、一定の衝撃力を有するので、このボールが前記ボール捕集ネット４１と接触する際、捕集ネット４１を破損したり、ボール捕集ネット４１の網目に嵌め込まれてボールを卓球練習機４０における卓球集中皿４２に戻すことができず、これにより、卓球練習機４０の内部におけるボールの数量が減少すると共に、卓球練習機４０の作動に悪影響を与えてしまう。
【０００４】
更に、練習者はボールを打つ力が大きければ、ボールがボール捕集ネット４１によって卓球台５０に弾み返されることにより、ボールを卓球集中皿４２に戻すことができないので、卓球練習機４０の作動に悪影響を与えてしまう。
【０００５】
そこで、案出されたのが本考案であって、卓球練習機のボール捕集ネット４１にボールが嵌め込まれてしまうことを防止する卓球練習機のボール捕集ネット用緩衝部材を提供することを目的としている。
【０００６】
【課題を解決するための手段】
本願の請求項１に記載した卓球練習機のボール捕集ネット用緩衝部材に係る考案は、卓球練習機１０を覆って卓球台５０の一側にセットされる枠体１１を備えたボール捕集ネット１２であって、前記卓球練習機１０から発射される飛球開口部１０ａを除く前記ボール捕集ネット１２の前面開口部１２ａには、柔軟性材質で形成された緩衝プレート２０を配設したことを特徴とする。
請求項２の考案は、請求項１に記載した卓球練習機のボール捕集ネット用緩衝部材において、前記緩衝プレート２０の下端部には、筒状の設置部２１が配設され、該設置部２１の筒状内部には所定の重量を有する固定ロッド３０が抜き差し自在に嵌合され、各緩衝プレート２０が伸長されるようにしたことを特徴とする。
請求項３の考案は、請求項１または２に記載の卓球練習機のボール捕集ネット用緩衝部材において、前記緩衝プレート２０は所定幅に形成された複数枚を並設してなり、かつ前記所定幅は卓球ボール３１の直径とほぼ等しい幅であることを特徴とする。
【０００７】
【作用】
本考案は上述の課題を解決するものであり、卓球練習機１０を覆って卓球台５０の一側にセットされる枠体１１を備えたボール捕集ネット１２の前面部開口部１２ａに、柔軟性材質で形成された緩衝プレート２０を設け、打ち返された衝撃力の強いボールが直接ボール捕集ネット１２に当たらないようにし、ボールの衝撃力によるネットの破損等を防止並びにボールの集中皿１３への戻りを確実にする。
【０００８】
以下、添付図面を参照して本考案の好適な実施の形態を詳細に説明する。
なお、下記実施例は、本考案の好適な実施の形態を示したものにすぎず、本考案の技術的範囲は、下記実施例そのものに何ら限定されるものではない。
【０００９】
【考案の実施の形態】
図１は本考案に係わる卓球練習機のボール捕集ネット用緩衝部材の使用状態を示す拡大分解斜視図であり、図２は本考案に係わる卓球練習機のボール捕集ネット用緩衝部材の使用状態を示す平面図であり、図３は本考案に係わる卓球練習機のボール捕集ネット用緩衝部材の使用状態を示す斜視図である。
【００１０】
図１及び図２に示すように、本考案に係わる卓球練習機のボール捕集ネット用緩衝部材は、卓球練習機１０の両側におけるボール捕集ネット１２に設置するためフレーム１１の前面部に所定幅の長方形状に形成した複数の柔軟性材質、例えば、軟質樹脂，ゴム，布等のボール捕集ネット用緩衝部材となる緩衝プレート２０が設けられ、各緩衝プレート２０の幅がボール３１の直径とやや等しく、緩衝プレート２０の下端には、筒状の設置部２１が設けられている。そして、前記設置部２１の筒状内部には所定の重量を有する固定ロッド３０が抜き差し自在に嵌合装着されることにより、各緩衝プレート２０が伸長されている。
【００１１】
又、図２及び図３に示すように、本考案に係わる卓球練習機のボール捕集ネット用緩衝部材は、卓球練習機１０の両側におけるボール捕集ネット１２を設置するためフレーム１１を覆うボール捕集ネット１２の前面開口部１２ａに設置されるので、練習者によって打ち返す卓球（練習ボール）３１がボール捕集ネット１２と接触する前に、先に緩衝プレート２０と接触することにより、ボール３１の衝撃量を減少させ、更に、緩衝プレート２０同士の間における隙間を介してボール捕集ネット１２へ移動すると共に、重力によって卓球練習機１０の卓球集中皿１３に落ち込むことにより、ボール３１がボール捕集ネット１２に嵌め込まれたりする不具合を解消できる。
【００１２】
更に、ボール捕集ネット用緩衝部材となる緩衝プレート２０は、フレーム１１に設置されたボール捕集ネット１２の前面部両側に卓球練習機１０のボール飛球開口部１０ａを除いて取付けられるので、卓球練習機１０の使用中に邪魔になることがなく、又、本考案に係わる卓球練習機のボール捕集ネット１２の設置が簡単であり、直接に現有の卓球練習機１０のボール捕集ネット１２を設置するため枠体１１の前面部に設置することができるので、実用性が十分にある。なお、緩衝プレート２０の材質は布や、プラスチックプレート又は他の軟質の材質から成ることができる。
【００１３】
【考案の効果】
本考案は、卓球練習機を覆って卓球台の一側にセットされる枠体を備えたボール捕集ネットの改良であって、前記卓球練習機から発射される飛球開口部を除く前記ボール捕集ネットの前面開口部には、柔軟性材質で形成されたボール捕集ネット用緩衝部材となる緩衝プレートを配設した構成としたので、卓球練習中のボールがボール捕集ネットに接触する前に、緩衝プレートと接触することによってボールの衝撃力を減少させる事ができ、ボールがボール捕集ネットに嵌め込まれたり、ボールの衝撃力でネットが破損することを防止できる。また、柔軟性材質で形成された緩衝プレートに当接したボールは余り飛散することなくボール集中皿に戻るため、卓球練習機へのボールの戻りが確実に確保される。
【図面の簡単な説明】
【図１】本考案に係わる卓球練習機のボール捕集ネット用緩衝部材の使用状態を示す拡大分解斜視図である。
【図２】本考案に係わる卓球練習機のボール捕集ネット用緩衝部材の使用状態を示す平面図である。
【図３】本考案に係わる卓球練習機のボール捕集ネット用緩衝部材の使用状態を示す斜視図である。
【図４】従来の卓球練習機の使用状態を示す斜視図である。
【符号の説明】
１０　　　　卓球練習機
１１　　　　枠体
１２　　　　ボール捕集ネット
１３　　　　卓球集中皿
２０　　　　緩衝プレート（緩衝部材）
２１　　　　設置部
３０　　　　固定ロッド
３１　　　　ボール
４０　　　　卓球練習機
４１　　　　ボール捕集ネット
４２　　　　卓球集中皿
５０　　　　卓球台